(57)【要約】【課題】リモートコマンド装置専用の入力端子を設けることなく、低コストでリモートコマンド装置を接続することができる撮影装置を提供する。【解決手段】ＡＶ信号を出力するＡＶ処理回路２５と、ＡＶ処理回路２５とから出力されるＡＶ信号を外部へ出力するＡＶ端子２６と、ＡＶ端子２６にリモートコマンド装置３のコマンド端子が接続されたか否かを検出し、ＡＶ端子２６にリモートコマンド装置３が接続されていると判定した場合、リモートコマンド装置３からのコマンド信号により撮影処理を行うメインマイコン１０とを備えている。【選択図】図２
2008236082.tif 000002
【特許請求の範囲】
【請求項１】
被写体の光学像を撮像手段にて電気信号に変換し、前記電気信号による画像データを情報記録媒体に記憶する撮影装置において、
ＡＶ信号を出力するＡＶ信号出力手段と、
前記ＡＶ信号出力手段から出力されるＡＶ信号を外部へ出力するＡＶ端子と、
前記ＡＶ端子にリモートコマンド装置のコマンド端子が接続されたか否かを検出する検出手段と、
前記検出手段の検出結果に基づいて前記ＡＶ端子に前記リモートコマンド装置が接続されたと判別した場合、前記リモートコマンド装置からのコマンド信号により撮影処理を行う撮影処理手段と、
を備えたことを特徴とする撮影装置。
【請求項２】
前記ＡＶ端子は、プラグを挿入可能な凹部を有するジャックであり、前記プラグが挿入されたときに前記プラグの先端が当接する前記凹部内にコマンド入力端子を備えたことを特徴とする請求項１に記載の撮影装置。
【請求項３】
前記ＡＶ端子は、前記プラグが挿入されたときに前記コマンド入力端子を付勢する付勢手段を備えたことを特徴とする請求項２に記載の撮影装置。
【請求項４】
ＡＶ端子を備える撮影装置に接続されて使用されるリモートコマンド装置であって、前記撮影装置の動作状態を移行させるための複数のスイッチと、前記スイッチの操作に応じてコマンド信号を出力するコマンド出力手段と、前記ＡＶ端子と接続可能に構成され前記コマンド信号を出力するコマンド端子と、を備えたことを特徴とするリモートコマンド装置。
【請求項５】
前記コマンド端子は、ジャックに挿入可能な凸部を有するプラグであり、前記プラグの先端にコマンド出力端子を備えたことを特徴とする請求項４に記載のリモートコマンド装置。
【請求項６】
前記プラグの先端に凹部を形成し、該凹部内に前記コマンド出力端子を形成したことを特徴とする請求項５に記載のリモートコマンド装置。
【請求項７】
前記コマンド出力手段は、前記コマンド信号として複数のパルス信号を出力することを特徴とする請求項４乃至６の何れか一項に記載のリモートコマンド装置。
【請求項８】
前記コマンド出力手段は、前記コマンド信号として、パルス幅が互いに異なる複数のパルス信号を出力することを特徴とする請求項４乃至６の何れか一項に記載のリモートコマンド装置。
【発明の詳細な説明】
【技術分野】
【０００１】
本発明は、撮影装置及び撮像装置に接続して使用可能なレリーズ装置等のリモートコマンド装置に関する。
【背景技術】
【０００２】
カメラ内でのレリーズによる通常の撮影動作と、外部レリーズによる撮影動作と、２つの動作処理が可能なカメラが知られている。外部レリーズ装置をデジタルカメラに接続するには通常はカメラ筐体に専用に設けられている専用の入力端子に外部レリーズ装置を接続することにより行っている。
【特許文献１】特許第３２３４２４７号
【発明の開示】
【発明が解決しようとする課題】
【０００３】
しかしながら、近年、デジタルカメラのさらなる小型化と製造コストの低減が要求される中では、もともと装着率の低い外部レリーズ装置のためにわざわざ専用の入力端子をデジタルカメラの筐体に設けるのは困難になってきている。
本発明の上記したような点を鑑みてなされたものであり、リモートコマンド装置専用の入力端子を設けることなく、リモートコマンド装置を接続可能な撮影装置を提供する。また、低コストで撮影装置側と同じ動作を実現することができるリモートコマンド装置を提供することを目的とする。
【課題を解決するための手段】
【０００４】
上記目的を達成するため、請求項１に記載の本発明は、被写体の光学像を撮像手段にて電気信号に変換し、前記電気信号による画像データを情報記録媒体に記憶する撮影装置において、ＡＶ信号を出力するＡＶ信号出力手段と、前記ＡＶ信号出力手段から出力されるＡＶ信号を外部へ出力するＡＶ端子と、前記ＡＶ端子にリモートコマンド装置のコマンド端子が接続されたか否かを検出する検出手段と、前記検出手段の検出結果に基づいて前記ＡＶ端子に前記リモートコマンド装置が接続されたと判別した場合、前記リモートコマンド装置からのコマンド信号により撮影処理を行う撮影処理手段と、を備えたことを特徴とする。
請求項２に記載の本発明は、前記ＡＶ端子は、プラグを挿入可能な凹部を有するジャックであり、前記プラグが挿入されたときに前記プラグの先端が当接する前記凹部内にコマンド入力端子を備えた請求項１に記載の撮影装置を特徴とする。
【０００５】
請求項３に記載の本発明は、前記ＡＶ端子は、前記プラグが挿入されたときに前記コマンド入力端子を付勢する付勢手段を備えた請求項２に記載の撮影装置を特徴とする。
請求項４に記載の本発明は、ＡＶ端子を備える撮影装置に接続されて使用されるリモートコマンド装置であって、前記撮影装置の動作状態を移行させるための複数のスイッチと、前記スイッチの操作に応じてコマンド信号を出力するコマンド出力手段と、前記ＡＶ端子と接続可能に構成され前記コマンド信号を出力するコマンド端子と、を備えたことを特徴とする。
請求項５に記載の本発明は、前記コマンド端子は、ジャックに挿入可能な凸部を有するプラグであり、前記プラグの先端にコマンド出力端子を備えた請求項４に記載のリモートコマンド装置を特徴とする。
【０００６】
請求項６に記載の本発明は、前記プラグの先端に凹部を形成し、該凹部内に前記コマンド出力端子を形成した請求項５に記載のリモートコマンド装置を特徴とする。
請求項７に記載の本発明は、前記コマンド出力手段は、前記コマンド信号として複数のパルス信号を出力する請求項４乃至６の何れか一項に記載のリモートコマンド装置を特徴とする。
請求項８に記載の本発明は、前記コマンド出力手段は、前記コマンド信号として、パルス幅が互いに異なる複数のパルス信号を出力する請求項４乃至６の何れか一項に記載のリモートコマンド装置を特徴とする。
【発明の効果】
【０００７】
本発明の撮影装置によれば、ＡＶ端子を利用して、リモートコマンド装置を接続することができるので、撮影装置にリモートコマンド装置専用の入力端子を設ける必要がないため、低コストでリモートコマンド装置を接続することが可能になる。また、リモートコマンド装置専用の入力端子を筐体に設ける必要がないため、撮影装置の小型化を図りつつリモートコマンド装置との接続を実現することが可能になる。
また本発明のリモートコマンド装置は、撮影装置のＡＶ端子と接続可能に構成されているので、リモートコマンド装置専用の入力端子が設けられていない場合でも、撮影装置のＡＶ端子を利用して撮影装置側と同じ動作を実現することができる。
【発明を実施するための最良の形態】
【０００８】
以下、本発明の画像撮影装置の実施形態について説明する。
図１は、本発明の画像撮影装置の一実施形態であるデジタルカメラのブロック図である。図１に示すデジタルカメラ１は、情報を記憶するフラッシュメモリなどの外部記憶装置２１、撮像素子であるＣＣＤやＡ／Ｄ変換器などの画像情報の入力部を備えた撮像装置２２、各種情報を表示する表示装置２３、外部からの入力を行う操作卓２４、音声信号や画像信号等のＡＶ信号の処理を行うＡＶ処理回路２５、ＡＶ処理回路２５から出力されるＡＶ信号をパーソナルコンピュータなどの外部装置２に出力するためのＡＶ端子（以下、ＡＶジャックと称する）２６、及びデジタルカメラ１全体を制御するメインマイコン１０を備えている。メインマイコン１０は、ＣＰＵ１１、ＲＯＭ１２、ＲＡＭ１３、入出力ポート（Ｉ／Ｏポート）１４及びこれらを接続しているバスライン１５などを備えている。なお、メインマイコン１０は、例えば周知のＭＰＵ（Micro Processing Unit）により構成される。
このように構成される本実施形態のデジタルカメラ１は、パソコンなどの外部装置２との接続のために設けられているＡＶジャック２６を利用して外部レリーズ装置等のリモートコマンド装置３を接続可能に構成した点に特徴がある。
【０００９】
図２は本実施の形態の撮像装置とリモートコマンド装置とのインターフェースの構成を示した図である。
リモートコマンド装置３は、電源４及び電源スイッチ５の他にユーザがレリーズを押下したときにＯＮとなるレリーズＳＷ６と、マイコン７と、撮影装置１のＡＶ端子２６に接続可能なコマンド端子８等を備える。マイコン７はレリーズＳＷ６等の操作に応じてコマンド端子８からコマンド信号を出力する。コマンド端子８は、例えばステレオミニプラグサイズ互換を有する専用のプラグ（以下、リモコンプラグと称する）を有して構成される。
本実施の形態の撮影装置では、ユーザがＡＶジャック２６にＡＶケーブルのコネクタ（以下、ＡＶプラグと称する）を挿入すると、コネクタ検出ラインの電圧レベルがＨレベルからＬレベルに変化する。メインマイコン１０は、この電圧変化を検出すると、ＡＶ端子にＡＶケーブルのＡＶプラグが接続されたと判別して、表示装置２３のＬＣＤ表示などをＯＦＦした後、ＡＶ処理回路２５からＡＶジャック２６を介して画像信号及び／又は音信号を出力する。
【００１０】
一方、ユーザがＡＶジャック２６にリモートコマンド装置３のコマンド端子８のリモコンプラグを挿入した場合、コマンド信号が入力されるコマンド入力ラインの電圧レベルがＬレベルからＨレベルに変化する。メインマイコン１０は、この電圧変化を検知した場合、ＡＶジャック２６にリモートコマンド装置３のリモコンプラグが接続されていると判断することになる。
なお、ＡＶジャック２６にＡＶプラグが挿入された場合、撮影装置１のコマンド入力ラインにはＡＶ処理装置２５が出力する音信号がフィードバックすることになるが、音信号はリモートコマンド装置３からのコマンド信号のような一定期間安定的なＬレベルやＨレベルの信号ではないので誤動作に至ることはない。
【００１１】
図３は、本実施の形態のリモートコマンド装置のリモコンプラグの形状を示した図である。
この図３に示すリモコンプラグ３０は、ステレオミニプラグと互換を有するプラグであり、凸部３１の先端にコマンド出力端子３２が設けられている。なお、ＡＶプラグでは、凸部３１の周囲が先端側から音出力端子範囲３３、画像出力端子範囲３４、ＧＮＤ３５とされる。
【００１２】
図４はリモコンプラグの変形例を示した断面図である。
この図に示すリモコンプラグ３０は凸部３１の先端に凹部３６を形成し、この凹部３６内にコマンド出力端子３２を形成するようにしている。このように構成した場合は、ユーザがコマンド出力端子３２に触れるのを防止することができるため、端子の劣化に伴う接触不良を防止することができる。
【００１３】
図５は本実施の形態のデジタルカメラのＡＶジャックの構造を模式的に示した図である。
図５（ａ）に示すようにＡＶ端子２６は、ＡＶプラグ或いはリモコンプラグを挿入可能な凹部４１を有するジャックであり、リモコンプラグ３０が挿入されたときにプラグの先端が当接する凹部４１内に図５（ｂ）に示すコマンド入力端子が設けられている。
またＡＶジャック２６は、図３に示したリモコンプラグ３０が挿入されたときに、コマンド入力端子が、リモコンプラグ３０の先端のコマンド出力端子３２と確実に接触するように、コマンド入力端子を付勢する付勢手段としてスプリング等を備えている。これにより、リモコンプラグ３０が挿入されたときにコマンド入力端子とコマンド出力端子とを確実に接続するようにしている。
【００１４】
図６はリモートコマンド装置から出力されるコマンド信号を示した図である。
リモートコマンド装置３は、ユーザがレリーズＳＷ６に操作することにより、コマンド信号として、図６（１）（２）に示すような複数のパルス信号を出力可能に構成されている。またリモートコマンド装置３は、ユーザがレリーズＳＷ６に操作することにより、コマンド信号として、図６（３）（４）に示すようなパルス幅が互いに異なる複数のパルス信号を出力可能に構成されている。このように構成すれば、デジタルカメラ１の複数の機能を外部からリモートコントロールすることができる。
【図面の簡単な説明】
【００１５】
【図１】本発明の画像撮影装置の一実施形態であるデジタルカメラのブロック図である。
【図２】本実施の形態の撮像装置とリモートコマンド装置とのインターフェースの構成を示した図である。
【図３】本実施の形態のリモートコマンド装置のコマンド端子の形状を示した図である。
【図４】リモコンプラグの変形例を示した断面図である。
【図５】本実施の形態のデジタルカメラのＡＶジャックの構造を模式的に示した図である。
【図６】リモートコマンド装置から出力されるコマンド信号を示した図である。
【符号の説明】
【００１６】
１…デジタルカメラ、２…外部装置、３…リモートコマンド装置、４…電源、５…電源スイッチ、６…レリーズＳＷ、７…マイコン、８…コマンド端子、１０…メインマイコン、１１…ＣＰＵ、１２…ＲＯＭ、１３…ＲＡＭ、１５…バスライン、２１…外部記憶装置、２２…撮像装置、２３…表示装置、２４…操作卓、２５…ＡＶ処理回路、２６…ＡＶジャック、３０…コマンド端子、３１…凸部、３２…コマンド出力端子、３３…音出力端子範囲、３４…画像出力端子範囲、３５…ＧＮＤ、３６…凹部、４１…凹部
【図１】
2008236082.tif 000003
【図２】
2008236082.tif 000004
【図３】
2008236082.tif 000005
【図４】
2008236082.tif 000006
【図５】
2008236082.tif 000007
【図６】
2008236082.tif 000008